(57)【要約】引出し等用の引出しガイド（１）であって、家具の別個の側壁に接続されるように適合された固定部（２）と、引出し（４）に固定されるように適合された可動部（３）と、を備え、前記ガイドの前記可動部（３）は、前端には、前記引出しの前部で係合可能な第１の固定手段を有し、前記第１の前端の反対側に位置する後端には、引出しの後部で係合可能な第２の固定手段（５）を有する。前記第２の固定手段（５）は弾性的可撓性部分（７）を含み、前記ガイドの前記可動部（３）は、後端には、前記引出しの前記後部の垂直調節用の調節手段（１０）を有し、当該垂直調節用の調節手段（１０）は、前記第２の固定手段（５）と分離されている。
2019514611.tif 000002
【特許請求の範囲】
【請求項１】
引出し等用の引出しガイド（１）であって、
家具の別個の側壁に接続されるように適合された固定部（２）と、
引出し（４）に固定されるように適合された可動部（３）と、
を備え、
前記ガイドの前記可動部（３）は、前端には、前記引出しの前部で係合可能な第１の固定手段を有し、前記第１の前端の反対側に位置する後端には、前記引出しの後部で係合可能な第２の固定手段（５）を有する、前記引出し等用の引出しガイドにおいて、
前記第２の固定手段は、弾性的可撓性部分（７）を含み、
前記ガイドの前記可動部（３）は、前記後端には、前記引出しの前記後部の垂直調節用の調節手段（１０）を有し、
前記垂直調節用の調節手段（１０）は、前記第２の固定手段（５）と分離されていることを特徴とする、
引出し等用の引出しガイド。
【請求項２】
前記第２の固定手段は、前記引出し（４）の長手方向の伸張に対して垂直方向に弾性的可撓な部分（７）を含むことを特徴とする、
請求項１に記載の引出し等用の引出しガイド。
【請求項３】
前記第２の固定手段は、前記引出し（４）の後壁（２０）内に形成された穴（６）に係合するように適合された係合手段（５）を含むことを特徴とする、請求項１又は２に記載の引出しガイド。
【請求項４】
前記弾性的可撓性部分（７）は、前記ガイドの前記可動部に対して平行に延びる部分（７ａ）と、前記部分（７ａ）に連結された弾性部分（７ｂ）とを含むことを特徴とする、請求項１から３のいずれか１項に記載の引出しガイド。
【請求項５】
前記弾性的可撓性部分（７）は、弾性的可撓に形成された係合手段（５）の一部分であることを特徴とする、請求項１から３のいずれか１項に記載の引出しガイド。
【請求項６】
前記引出し（４）の後部の前記垂直調節用の調節手段（１０）は、楔手段（１２）を有し、
前記楔手段（１２）は、前記引出しの後部において、前記ガイドの前記可動部（３）と前記引出し（４）の底部（１１）との間に挿入されるように適合されたことを特徴とする、請求項１から５のいずれか１項に記載の引出しガイド。
【請求項７】
前記楔手段（１２）は、傾斜面（１４）に沿って前記楔手段（１２）を移動させるように構成された作動手段（１３）と関連していることを特徴とする、請求項６に記載の引出しガイド。
【請求項８】
前記作動手段（１３）は、前記引出しの側面から作動可能であるように、前記引出しガイドの前記可動部（３）に対して側方に突出していることを特徴とする、請求項７に記載の引出しガイド。
【請求項９】
前記調節手段（１０）には、一組の歯（１５）が設けられ、
前記一組の歯（１５）は、前記楔手段（１２）に連結された前記作動手段（１３）のスナップ移動を可能にするように適合されたことを特徴とする、
請求項７又は８に記載の引出しガイド。
【請求項１０】
前記作動手段は、ユーザによって作動されるように適合されたレバー（１３）を含むことを特徴とする、請求項７から９のいずれか１項に記載の引出しガイド。
【請求項１１】
前記楔手段（１２）は、回転する又は直線的摺動することによって移動可能であることを特徴とする、請求項６から１０のいずれか１項に記載の引出しガイド。
【請求項１２】
前記第２の固定手段（５）の前記弾性的可撓性部分（７）及び前記垂直調節用の調節手段（１０）は、標準型又は対応型ガイドに適用可能であることを特徴とする、請求項１から１１のいずれか１項に記載の引出しガイド。
【発明の詳細な説明】
【技術分野】
【０００１】
本発明は、引出し等用の引出しガイド、例えば、調節手段を備えた取り出し可能な棚又は家具の摺動部分に関する。
【０００２】
より詳細には、本発明は、後部調節手段を備えた引出し等用の引出しガイドに関する。
【０００３】
更に詳細には、本発明は、引出しの後部の垂直位置を調節するための調節手段を備えた引出し等用の引出しガイドに関する。
【０００４】
知られているように、家具分野において、引出しが装着された家具を提供することは知られている。引出しは、一般に引出しガイドによってスライドすることができるように支持される。引出しガイドは、それぞれが固定案内部と可動案内部とを有し、固定案内部は、家具の本体の別個の側壁に接続することができ、可動案内部は、引出しの対応する側に固定することができる。
【０００５】
引出しの各側面を別個の引出しガイドに固定するために、引出しの前部及び後部の両方に適切な固定手段が配置される。
【０００６】
従来、引出しの前部に配置された固定手段はクリップ装置によって構成され、当該クリップ装置は、引出しの前端をガイドの可動部の別個の前端に連結する。一方、後部に配置された固定手段はフックによって構成され、当該フックは、引出しの後壁内に形成された別個の係合穴に挿入することができるように、ガイドの可動部の後端から縦方向に突出する。
【０００７】
引出しの前部の傾斜を調節するために、後部フックの位置を垂直に調節するための適切な手段を提供することが提案され、又は、代替として、フック用の係合穴を形成する適合装置が提案され、フックが引出しの後壁上で垂直に調節可能であることによって、引出しの後部のその前部に対する高さを修正することができ、したがって引出しの前部の角度位置を変えることができる。このようにして、様々な引出しの前部の最適な相互的な位置決めを得ることができ、こうすることによって、全ての引出しが相互的に完璧に整列され、より洗練された美的側面を達成することができる。
【発明の概要】
【発明が解決しようとする課題】
【０００８】
フックの位置を垂直に調節する手段は、例えば、欧州特許出願公開第１１４７７２５号から知られており、当該開示において、後部フックは、個別の部分であって、ガイドの可動部によって垂直に移動可能に支持され、前記フックの垂直位置を設定する作動ノブが設けられている。
【０００９】
しかしながら、前述した解決策は、作動ノブの位置の原因で作動が不便である。なぜなら、作動ノブが引出しの後壁の後に配置され、届きにくいためである。
【００１０】
フック用の垂直に調節可能な係合穴を形成する装置の他の例は、特許文献ＷＯ２００９／０５６３２６から知られている。当該装置は、引出しの後壁の後部に適用され、同様に作動ノブを有する。当該作動ノブは、同様に届きにくく、操作困難である。
【課題を解決するための手段】
【００１１】
本発明の狙いは、引出し等用の引出しガイドを提供することであって、当該引出しガイドは、容易にアクセス可能な調節装置を備え、引出しの後部を垂直方向に調節することを可能にする。
【００１２】
この狙いにおいて、本発明の目的は、引出し等用の引出しガイドを提供することであって、当該引出しガイドは、前記引出しの底部で容易にアクセス可能な調節手段に作用することによって、引出しの前部の垂直位置を調節することを可能にする。
【００１３】
本発明の更なる目的は、引出し等用の引出しガイドを提供することであって、当該引出しガイドにおいて、調節手段は引出しの従来の空間占有を変えない。
【００１４】
本発明の他の目的は、引出し等用の引出しガイドを提供することであって、当該引出しガイドは、信頼性が高く、比較的簡単に設けることができ、且つ競合コストである。
【００１５】
この狙い及び以下でより明らかになるこれら及び他の目的は、引出し等用の引出しガイドによって達成される。当該引出しガイドは、家具の別個の側壁に接続されるように適合された固定部と、引出しに固定されるように適合された可動部とを備え、ガイドの前記可動部は、前端には、引出しの前部で係合可能な第１の固定手段を有し、前記第１の前端の反対側に位置する後端には、引出しの後部で係合可能な第２の固定手段を有し、前記引出しガイドにおいて、前記第２の固定手段は、弾性的可撓性部分を含み、ガイドの前記可動部は、前記後端には、引出しの前記後部の垂直調節用の調節手段を有し、当該垂直調節用の調節手段は、前記第２の固定手段と分離されていることを特徴とする。
【００１６】
本発明のさらなる特徴及び利点は、添付図面における限定されない例によって示された、本発明に係るガイドの好ましいであるが限定的ではない実施形態の説明からより明らかになるであろう。
【図面の簡単な説明】
【００１７】
【図１】本発明に係る引出しガイドの、その後端部における可動部の一部の斜視図である。
【図２】本発明に係る引出しガイド部分の、図１の反対側から見た別の斜視図である。
【図３】本発明に係る引出しガイド部分の他の上面斜視図である。
【図４】垂直調節位置にある、引出しに適用された本発明に係る引出しガイドの縦断面図である。
【図５】図４の構成に示された、引出しガイドの詳細の部分縦断面図である。
【図６】引出しがガイドの可動部に載置され、「ゼロ」位置状態にある引出しに適用された滑動引出しガイドの縦断面図である。
【図７】図６に示された、本発明に係る引出しガイドの詳細の部分縦断面図である。
【発明を実施するための形態】
【００１８】
図面を参照すると、全体的に参照符号１で示される本発明に係る引出しガイドは、家具（図示せず）の別個の側壁に接続されるように適合されたガイドの固定部２と、引出し４に固定可能なガイドの可動部３とを備えている。ガイドの可動部３は、前端には、引出しの前部で係合可能な第１の固定手段を有し、反対側の後端には、引出しの後部で係合可能な第２の固定手段を有する。
【００１９】
好適には、第２の固定手段は係合手段５を有し、係合手段５は、引出し４の後壁２０に好適に設けられた穴６に係合するように適合されている。
【００２０】
有利には、第２の固定手段は部分７を含み、部分７は、垂直方向に弾性的可撓性を有し、すなわち、引出し４の後壁５に平行な方向に沿って弾性的可撓である。
【００２１】
好適には、弾性的可撓性部分は、係合手段５に適用された個別の構成要素として形成され、本体７ａによって構成される。本体７ａから弾性部分又は可撓性タブ７ｂが突出しており、当該弾性部分又は可撓性タブ７ｂは、少なくとも垂直方向に弾性的に可撓である。
【００２２】
好適には、本体又は部分７ａは、ガイドの可動部３と平行に配置される。
【００２３】
弾性的可撓性部分７は、係合手段５に結合され、ガイドの可動部３に対して平行な方向に延在する。
【００２４】
本発明に係るガイドは、引出し４の後部の垂直調節用の手段を更に含み、当該手段は第２の固定手段５と分離される。
【００２５】
好適には、参照符号１０によって示される調節手段は、楔手段を含み、当該楔手段は、引出しの後部２０において、ガイドの可動部３と引出しの底部１１との間に挿入されるように適合される。
【００２６】
好適には、参照符号１２で示される楔手段は、作動手段、例えば、レバー１３によって作動される。レバー１３は、楔手段に連結され、傾斜面１４に沿って楔手段１２を移動させるように適合されている。更に、１組の歯１５が設けられ、当該１組の歯１５に沿って、レバー１３は、スナップ動作によって移動することができる。
【００２７】
好ましくは、作動レバー１３は、引出しの側面から容易に作動できるように、引出しガイドの可動部３に対して側方に突出する。
【００２８】
図４は、垂直調節位置にある、引出し４に適用された本発明に係る引出しガイドを示す図である。すなわち、ガイドの可動部３と引出しの底部１１との間に、調節手段１０の楔手段１２を介在させることにより、ガイドから引出しが持ち上げられる。
【００２９】
弾性的可撓性要素７は、引出し４の後壁２０の穴６内に収容され、可撓性タブ７ｂは、穴６の下壁の持ち上げにより弾性変形することに留意されたい。
【００３０】
図５は、前述した内容の詳細を示す図である。
【００３１】
逆に、図６は、「ゼロ」の調節位置、すなわち、引出しがガイドの可動部３に載置されており、調節手段１０の楔手段１２がもはやガイドの可動部３と引出しの底部１１との間に挿入されていない状態である。
【００３２】
前述した内容の詳細は図７に示される。
【００３３】
実際には、本発明に係る引出し等用の引出しガイドは、意図された目標及び目的を完全に達成したことが分かっている。すなわち、本発明に係る引出しガイドは、簡単に後部調節手段に作用することによって、引出しの垂直位置を調節し、引出しを「ゼロ」構成位置から前方に傾いた位置まで移動させることを可能にする。後部調節手段は、引出しの側方及び下部に配置されるように適合されており、したがって容易にアクセスすることができ、ユーザは、前記後部調節手段のレバーに作用することによって簡単に当該調節を行うことができる。
【００３４】
本発明に係る引出しガイドは、多数の修正及び変形が可能であり、それらの全ては添付の特許請求の範囲内に含まれる。
【００３５】
例えば、弾性的可撓性部分が、係合手段５から分離された構成要素ではなく、弾性的可撓に形成された係合手段５の一部分によって構成されることは排除されない。
【００３６】
楔手段１２は、回転可能に移動することができ、又は直線的摺動することができる。
【００３７】
第２の固定手段の弾性的可撓性部分及び垂直調節用の調節手段は、好ましくは、後になっても、例えば、前記構成要素と前記ガイドとの間のスナップ結合又は形状係合用の適合手段により、標準型又は対応型ガイドに適用可能であるように成形される。
【００３８】
更に、引出しガイドが、引出しを完全に引き出すことができるように、固定部と前記可動部との間に介在する可動部分を備える可能性は排除されない。
【００３９】
全ての詳細は、技術的に同等の要素によって更に代えてもよい。
【００４０】
実際に、使用される材料、及び不特定な寸法と形状とは、要求及び技術水準に応じて任意に採用されてもよい。
【００４１】
本出願は、イタリア特許出願第１０２０１６００００４８５８４号（ＵＡ２０１６Ａ００３３６９）の開示に基づいて優先権を主張し、その全体の内容が参照により本明細書に組み込まれる。
【００４２】
特許請求の範囲に記載された技術的特徴の後に参照符号が付されている場合、それらの参照符号は、特許請求の範囲の明瞭性を高めるためのみに含まれている。したがって、そのような参照符号は、例としてそのような参照符号によって識別される各要素の解釈にいかなる限定的な影響も及ぼさないものである。
【図１】
2019514611.tif 000003
【図２】
2019514611.tif 000004
【図３】
2019514611.tif 000005
【図４】
2019514611.tif 000006
【図５】
2019514611.tif 000007
【図６】
2019514611.tif 000008
【図７】
2019514611.tif 000009
【国際調査報告】
2019514611.tif 000010
2019514611.tif 000011